(57)【要約】本発明は、少なくとも２つの重設されるトロリー移動軌道（６，７）を備え、該トロリー移動軌道（６，７）を、移動車輪と駆動装置と昇降装置とを備えたトロリー（８）が移動するように構成したマルチトロリー型コンテナークレーンに関する。トロリー移動軌道（６，７）上のトロリー（８）に、側方へ出入可能な移動車輪（２０）と、組み込まれた昇降システム（２１，２２，２４，２５，２６）とが配置され、昇降システム（２１，２２，２４，２５，２６）を用いてトロリー（８）をトロリー移動軌道（６，７）の上または横で支持し、よって下部トロリー移動軌道（７）から上部トロリー移動軌道（６）へ、またはその逆方向へ移動させることを特徴としている。  本発明は、複数個のコンテナーを同時に荷積み荷降ろしを行なう必要のあるコンテナー船に迅速に荷積み荷降ろしするために適している。
2006521260.tif 000002
【特許請求の範囲】
【請求項１】
少なくとも２つの重設されるトロリー移動軌道（６，７）を備え、該トロリー移動軌道（６，７）を、移動車輪と駆動装置と昇降装置とを備えたトロリー（８）が移動するように構成したマルチトロリー型コンテナークレーンにおいて、
トロリー移動軌道（６，７）上のトロリー（８）に、
側方へ出入可能な移動車輪（２０）と、
組み込まれた昇降システム（２１，２２，２４，２５，２６）と、
が配置され、昇降システム（２１，２２，２４，２５，２６）を用いてトロリー（８）をトロリー移動軌道（６，７）の上または横で支持し、よって下部トロリー移動軌道（７）から上部トロリー移動軌道（６）へ、またはその逆方向へトロリー（８）を移動させるようにしたことを特徴とするマルチトロリー型コンテナークレーン。
【請求項２】
組み込まれた昇降システム（２１）としてシリンダまたはテレスコープシリンダ（２２）がトロリー（８）に配置されていることを特徴とする、請求項１に記載のマルチトロリー型コンテナークレーン。
【請求項３】
組み込まれた昇降システム（２１）としてラック（２５）が歯車（２６）またはスポークとともにトロリー（８）に配置されていることを特徴とする、請求項１に記載のマルチトロリー型コンテナークレーン。
【請求項４】
複数個のトロリー（８）が上部トロリー移動軌道（６）および／または下部トロリー移動軌道（７）に直列に配置されていることを特徴とする、請求項１から３までのいずれか一つに記載のマルチトロリー型コンテナークレーン。
【請求項５】
トロリー移動軌道（６，７）の両側面の間に移動軌道結合部（１５）が配置されていることを特徴とする、請求項４に記載のマルチトロリー型コンテナークレーン。
【請求項６】
トロリー（８）に、コンタクトワイヤーに接続した突出可能なエネルギー供給部（１９）がトロリー移動軌道（６，７）に沿って配置されていることを特徴とする、請求項１から５までのいずれか一つに記載のマルチトロリー型コンテナークレーン。
【請求項７】
トロリー移動軌道（７）の横に、組み込まれた昇降システム（２２，２５）のための支持面（２９）が配置されていることを特徴とする、請求項１から６までのいずれか一つに記載のマルチトロリー型コンテナークレーン。
【請求項８】
トロリー（８）の昇降過程のためにバッテリー、オイル蓄圧器等のアキュムレータがトロリーに設けられていることを特徴とする、請求項１から７までのいずれか一つに記載のマルチトロリー型コンテナークレーン。
【請求項９】
運転室または他の場所から無線制御を介して制御を行なうこと、特に昇降過程のための制御を行なうことを特徴とする、請求項１から８までのいずれか一つに記載のマルチトロリー型コンテナークレーン。
【請求項１０】
個別トロリーまたは多数のトロリー（８）がトロリー移動軌道（６，７）上を個別にまたはグループで移動できるようにしたことを特徴とする、請求項１から９までのいずれか一つに記載のマルチトロリー型コンテナークレーン。
【発明の詳細な説明】
【技術分野】
【０００１】
本発明は、請求項１の上位概念に記載の、少なくとも２つの重設されるトロリー移動軌道を備えたマルチトロリー型コンテナークレーンに関するものである。
本発明は、異なるトロリー移動軌道に複数個のトロリーが配置され、トロリーを一方のトロリー移動軌道から他のトロリー移動軌道へ交換することができるようなクレーンに適している。このようなシステムは、複数個のトロリーが同時にそのトロリー移動軌道を交替でき、互いに独立に移動でき、しかも一方のトロリー移動軌道から他方のトロリー移動軌道へトロリーを交換するために特定の場所を必要としないような場合に特に適している。特に本発明は、複数個のトロリーが同時にコンテナーを把持でき、相前後して移動してコンテナーを所定の場所に持ちきたすことができるような場合に有利に適用できる。これはコンテナー船から待機車両または集積スペースへもその逆の方向でも行なうことができる。
【背景技術】
【０００２】
コンテナー船が大型化し、港での停泊時間に制限があるので、できるだけ多くのコンテナーを短時間でしかもハイテンポで荷積み、荷降ろしする必要がある。コンテナー船にはその舷側に複数個のコンテナーブリッジを横付けすることができるが、コンテナーブリッジはほとんどの場合シングルトロリー型コンテナーブリッジであり、すなわち１個のトロリーがコンテナーを船から持ち上げて埠頭へ持ち来たし、或いはその逆の作業を行なうものである。これは大型のコンテナー船の場合停泊時間が長くなることを意味している。
【０００３】
特許文献１からは、互いに独立に作業することができる２つのトロリーを備えたコンテナークレーンが知られている。しかしながら、この特許文献１で提案されている実施形態によれば、２つのトロリーに制限されており、その結果迅速に荷降ろしする場合には複数個のコンテナークレーンを使用しなければならない。
【０００４】
特許文献２からは、３つのトロリーが１つのコンテナーブリッジに配置された荷物積載クレーンが知られている。この場合、長手方向に移動可能で昇降装置を備えた２つの昇降ユニットと１つの搬送ユニットとが荷物交換用に配置されている。このシステムの場合、搬送経路が分割されていることの利点は、コンテナーを何度も把持したり引き離すことで帳消しになる。
【０００５】
特許文献３からは、複数個のコンテナーを同時に船から荷降ろし、荷積みすることができる搬送システムが知られている。しかしながらトロリーは常に同じ移動軌道上を移動するので、複数個のトロリーはコンテナーを同時に荷積み、荷降ろしすることができるものの、次の荷積み荷降ろし過程を実施する前にすべての荷積み荷降ろし過程を終了しなければならないという欠点がこの装置にはある。
【０００６】
複数個のトロリーを異なる移動軌道上で同時に支障なく移動させるため、特許文献４からはトロリーが周回する門形クレーンが知られている。この場合複数個のトロリーが縦横に配置され、２つの異なるレベル高さを異なる移動軌道上で移動する。しかしながら、トロリーを周回させるようにしたこの門形クレーンの欠点は、上部トロリーが昇降手段によりコンテナーの昇降運動のみを実施させ、下部移動軌道上のトロリーはコンテナーの搬出入のみを受け持つという点にある。複数個のコンテナーの昇降と搬送を同時に行なうことができるが、搬送のためのトロリーと昇降のためのトロリーとが別個に必要であり、昇降過程と搬送過程とを分業している。このためコンテナーからコンテナークレーンへ何度も受け渡しが必要であり、その結果材料の使用量が多くなり、故障の原因になる。さらに、２個またはそれ以上の昇降トロリーが設けられていると、昇降過程と搬送過程との識別上の大きな問題が生じる。また、それぞれのコンテナーを受け渡し、搬送するために該コンテナーを最上位のトロリー持ち上げ位置へ持ちきたさねばならないのも欠点である。さらに、移動軌道の交替は常に移動軌道の端部でしか行なえないため、トロリーはかなりの移動距離を移動しなければならない。
【０００７】
【特許文献１】独国実用新案第２９８２４７５１．８号明細書
【特許文献２】独国特許出願公開第４３０７２５４Ａ１号明細書
【特許文献３】欧州特許出願公開第０１６７２３５Ａ１号明細書
【特許文献４】国際公開第００／４８９３７号パンフレット
【発明の開示】
【発明が解決しようとする課題】
【０００８】
本発明の課題は、複数個のトロリーを異なる高さレベルで同時に移動させることができ、簡潔な構造と方法で複数個のコンテナーを搬送することのできるマルチトロリー型コンテナークレーンを開発することである。
【課題を解決するための手段】
【０００９】
この課題は請求項１の構成によるマルチトロリー型コンテナークレーンにより解決される。
【００１０】
従属項は本発明の有利な構成を示している。
【００１１】
本発明による解決手段は、少なくとも２つの重設されるトロリー移動軌道を備え、該トロリー移動軌道を、移動車輪と駆動装置と昇降装置とを備えたトロリーが移動するように構成したマルチトロリー型コンテナークレーンにおいて、トロリー移動軌道上のトロリーが側方へ出入可能な移動車輪を有していることを特徴としている。この移動車輪は、トロリーを１つのトロリー軌道から次のより高いトロリー軌道へ交替する間は引き込み状態にあり、前記次のより高い移動軌道上で再び突出する。基本的には、少なくとも２つの重設されるトロリー移動軌道をトロリーの各側に配置する必要がある。しかしながら、２つ以上のトロリー移動軌道を重設してもよい。各トロリーは組み込まれた昇降システムを有し、該昇降システムによりトロリーはトロリー移動軌道の上または横で支持され、よって１つのトロリー移動軌道から他のトロリー移動軌道へ到達することができる。この場合、トロリーは組み込まれた昇降システムにより下部トロリー移動軌道からそれよりも上のトロリー移動軌道へ移動することが可能である。同様に、トロリーは上部トロリー移動軌道からそれよりも下のトロリー移動軌道へ移動することが可能である。昇降システムはトロリー移動軌道に係合することができ、すなわち移動車輪の側方または後方に係合することができるが、トロリー移動軌道の側方の適当な個所に係合してもよい。昇降システムがトロリー移動軌道の上または側方で支持された後、昇降システムは車輪対を引き込ませた状態で移動トロリーを上方または下方へ搬送し、昇降運動後車輪対は再び突出し、トロリーを移動面上へ降下させる。その後昇降システムは再び引き込み状態になることができる。
【００１２】
２つのトロリー移動軌道のみを設ける場合、移動車輪の軌間は場は固定ストッパーを介して調整することができる。
【００１３】
組み込まれる昇降システムとしては、各移動車輪の側方または下方に配置されるテレスコープシリンダが適している。
【００１４】
しかし、それぞれのトロリーの上下方向滑動運動を生じさせるラックを移動させる歯車も適している。
【００１５】
各トロリーは駆動装置を備えている。さらに各トロリーには昇降装置が設けられる。昇降装置はたとえば把持要素（たとえばツイストロック）を備えたスプレッダーである。
【００１６】
複数個のトロリーが上部トロリー移動軌道および／または下部トロリー移動軌道に直列に配置されているのが有利である。これにより上部トロリー移動軌道上の複数個のトロリーはアイドリング走行で下部トロリー移動軌道上のトロリーをまたぐように移動することができ、下部トロリー移動軌道上の複数個のトロリーは荷物を受容した状態で互いに横方向へ同時に移動することができる。
【００１７】
トロリー移動軌道の両側面の間には、上部トロリー移動軌道と下部トロリー移動軌道との間で安定性を得るため、トロリー移動結合部を配置してよい。
【００１８】
さらに、トロリーが突出可能なエネルギー供給部を有するように構成するのが有利である。これにより、１つの移動軌道から他の移動軌道へのトロリーの昇降過程を、エネルギー供給部がこの過程を阻害することなしに行なうことができる。その後にエネルギーがアキュムレータ装置（たとえばバッテリー）を介して該当するトロリーに対して供給される。トロリーの昇降過程は無線制御で制御することができる。コンテナー移し替えの際のトロリーの個々の過程を制御するため、１個または複数個の運転室をコンテナークレーンに固設または移動可能に設けてもよい。トロリーの作動を自動的に行い、この場合コンテナーの受容と放出とを自動的に行なって衝突を阻止する監視制御装置を好ましくはコンテナークレーンに或いはトロリーに配置するのが有利である。
【００１９】
本発明によるマルチトロリー型コンテナークレーンの利点は構成が簡潔なことであり、複数個のトロリーを同時に使用でき、複数個のトロリーをトロリー移動軌道上で同時に交換することが可能であり、複数個のトロリーを互いに独立に機能させることができ、１つのトロリー移動軌道から他のトロリー移動軌道へトロリーを移し替えるための特定の場所を必要としない。
【発明を実施するための最良の形態】
【００２０】
次に、本発明の実施形態を添付の図面を用いて詳細に説明する。
図１は埠頭２のコンテナー船１を示したもので、コンテナー船１にはコンテナー３が積載されている。この場合、コンテナーブリッジ５は荷降ろし過程を行なう。コンテナーブリッジ５には６個のトロリー８が配置され、３つのトロリー対９，１０，１１を形成している。トロリー対１１は昇降装置を引き込んだ状態で上部トロリー移動軌道６に配置され、下部トロリー移動軌道７へ降下するための待機状態にある。２つのトロリー対９，１０は下部トロリー移動軌道７にある。トロリー対９はそのスプレッダー２３をコンテナー３の上へ降下させており、コンテナー３をコンテナー船１の積載室から取り出している。トロリーがコンテナー搬送台車４の方向へ移動した後、コンテナー３を降下させる。トロリー対１０は上部トロリー移動軌道６へ持ち上げられる待機状態にある。コンテナー船１に荷積みする際には逆の順序で搬送を行なう。
【００２１】
図２は３つのトロリー１２によってコンテナー３を取り出しているコンテナー船１を示している。トロリー１２は下部トロリー移動軌道７を移動し、他のトロリー１３は上部トロリー移動軌道６に配置され、上部トロリー移動軌道６は下部トロリー移動軌道７へ移動する前の状態にある。コンテナーブリッジ５は３つのコンテナー搬送装置４の上に設けられ、コンテナー搬送装置４は同時に荷積みできる。
【００２２】
図３は８個のトロリー８を備えたコンテナーブリッジ５を示したもので、４つのトロリー対１４は上部トロリー移動軌道６にあって待機状態にあり、４つのトロリー対は下部トロリー移動軌道７にあってコンテナー船１のコンテナー３を取り出している。４つのコンテナー搬送台車４はコンテナーブリッジ５の下にあって荷積み待機状態にある。
【００２３】
図４は上下に重設された８個のトロリー８を示している。下部トロリー８はその移動車輪２０を引き込んだ状態で下部トロリー移動軌道７上を移動し、そのスプレッダー２３は１つのコンテナー３を担持している。上部トロリー移動軌道６では他のトロリー８がトロリー移動車輪２０を突出させた状態で移動する。移動車輪２０の横には昇降システムとしてテレスコープシリンダ２２が配置され、両トロリー８ともテレスコープシリンダ２２は引き込み状態にある。上部トロリー８のスプレッダー２３も引き込み状態にある。トロリー８とコンテナーブリッジ５との間には、コンタクトワイヤー１８に対して突出可能な集電器１９が配置されているので、トロリー移動軌道６，７の幅が異なっていても電流の取出しが可能である。
【００２４】
トロリー移動軌道６，７の間には、安定化のために移動軌道結合部１５が配置されている。
【００２５】
図５は集電器１９と移動車輪２０とスプレッダー２３とを引き込み状態で示したもので、移動トロリー８は突出したテレスコープシリンダ２２により下部トロリー移動軌道７から上部トロリー移動軌道６へ持ち上げられる。その際テレスコープシリンダは下部トロリー移動軌道７の横の支持面２９で支持される。移動車輪２０は突出位置へ到達した後、上部トロリー移動軌道６の軌道幅まで突出し、テレスコープシリンダ２２は移動車輪２０がトロリー移動レール１７の上に載置されるまで降下する。
【００２６】
図６は、図４にも図示したように、トロリー移動軌道６と７に２つのトロリー８が上下に重設されている状態を示したものである。昇降システム２４として、移動車輪２０の横に位置するようにスライドキャリアー２８にラック２５が配置されている。ラック２５は上部トロリー８の場合、転換時間にとって有利なパーキングポジションにある。トロリー移動軌道７の下部トロリー８の場合には、ラック２５とスライドキャリアー２８とはともに引き込み状態にある。
【００２７】
図７は組み込まれたラック型昇降システム２４を３つの昇降位置で示したもので、ラック２５と歯車２６とガイドローラ２７とを備えている、二重に配置した水平方向のスライドキャリアー２８を介して、個々の昇降ステップが実施される。第１の昇降ステップでは、ラック２５が支持面２９で支持される。第１の昇降ステップが終了すると、第２の水平方向のスライドキャリアー２８により横スライドが行なわれる。昇降過程は支持プロフィール３０を介して進行し、その後支持担持体３１を介してトロリー８が移動車輪２０の突出高さに達するまで進行する。
【００２８】
図８は移動車輪２０およびラック型昇降システム２４をも併せて示したトロリー８の側面図である。ラック型昇降システム２４は２対のスライドキャリアー２８から成り、スライドキャリアー２８はそのヘッド部分に配置された、引き込み・突出可能なラック２５と、歯車２６と、ガイドローラ２７とを備えている。スライドキャリアー２８のヘッド部分は２つの部分から成り、その各部分は１つのラック２５を担持し、別個に水平方向に引き込み・突出可能である。
【図面の簡単な説明】
【００２９】
【図１】船から荷降ろしする際の２つのトロリー移動軌道と２つのダブルトロリーとを備えたマルチトロリー型コンテナークレーンを示す図である。
【図２】船から荷降ろしする際の２つのトロリー移動軌道と３つのトリプルトロリーとを備えたマルチトロリー型コンテナークレーンを示す図である。
【図３】船から荷降ろしする際の２つのトロリー移動軌道と２つの４段トロリーとを備えたマルチトロリー型コンテナークレーンを示す図である。
【図４】２つのトロリー移動軌道上の２つのトロリーを、テレスコープシリンダを引き込ませた状態で示した図である。
【図５】１つのトロリー移動軌道の横にあるトロリーを、テレスコープシリンダを突出させ、移動車輪を引き込ませた状態で示した図である。
【図６】２つのトロリー移動軌道上に重設されている２つのトロリーを、ラック昇降システムを引き込み状態または待機状態で示した図である。
【図７】トロリー移動軌道の横にあるトロリーを、３ステップラック昇降システムおよび引き込み状態にある移動車輪とともに示した図である。
【図８】ラック昇降システムを組み込んだトロリーの側面図である。
【符号の説明】
【００３０】
１                  コンテナー船
２                  埠頭
３                  コンテナー
４                  コンテナー搬送台車
５                  コンテナーブリッジ
６                  上部トロリー移動軌道
７                  下部トロリー移動軌道
８                  トロリー
９                  ２つのトロリー（船からの取り出し）
１０                ２つのトロリー（トロリーの昇降）
１１                ２つのトロリー（トロリーの下降）
１２                ３つのトロリー（船からの取り出し）
１３                ３つのトロリー（周回）
１４                ４つのトロリー（システム）
１５                移動軌道結合部
１６                移動軌道連結部
１７                トロリー移動レール
１８                コンタクトワイヤー
１９                集電器
２０                移動車輪
２１                一体型テレスコープシリンダ（昇降システム）
２２                テレスコープシリンダ
２３                スプレッダー
２４                一体型昇降システム（ラック）
２５                ラック
２６                歯車
２７                ガイドローラ
２８                スライドキャリアー
２９                支持面
３０                支持プロフィール
３１                支持担持体
【図１】
2006521260.tif 000003
【図２】
2006521260.tif 000004
【図３】
2006521260.tif 000005
【図４】
2006521260.tif 000006
【図５】
2006521260.tif 000007
【図６】
2006521260.tif 000008
【図７】
2006521260.tif 000009
【図８】
2006521260.tif 000010
【国際調査報告】
2006521260.tif 000011
2006521260.tif 000012
2006521260.tif 000013
2006521260.tif 000014
2006521260.tif 000015
2006521260.tif 000016